(57)【要約】【課題】冷蔵室内に、冷蔵室より低温の貯蔵室を備えて冷蔵庫において、仕切体に設けられた結露防止用ヒータの熱の影響で、貯蔵室内の温度分布が不均一となることを防止する。【解決手段】第１の扉３１ａおよび第２の扉３１ｂを閉じた状態で第１の扉３１ａと第２の扉３１ｂとの隙間を塞ぐ仕切体５３に設けられた結露防止用ヒータ５５の中心線ＡＡと、貯蔵室６３に冷気を搬送する風路である低温用風路９５とが垂直投影面上で交差することがないため、低温用風路９５を流れる冷気への結露防止用ヒータ５５の熱影響を低減でき、貯蔵室６３内の温度分布が不均一となることがない。【選択図】図６
2012220116.tif 000002
【特許請求の範囲】
【請求項１】
冷蔵室と、前記冷蔵室の開口部を開閉する第１の扉および第２の扉と、前記第１の扉の開放端側に設けられ前記第１の扉および前記第２の扉を閉じた状態で前記第１の扉と前記第２の扉との隙間を塞ぐ仕切体と、前記仕切体に設けられたヒータと、前記冷蔵室の内部に設けられ前記冷蔵室より低温の貯蔵室と、前記冷蔵室の背面に設けられ前記貯蔵室に流入する冷気が流れる第１のダクトとを備え、前記ヒータと前記第１のダクトとが垂直投影面上で交差しないことを特徴とする冷蔵庫。
【請求項２】
前記貯蔵室の天面に設けられた複数の吹出口を有する第２のダクトを備え、前記第２のダクトと前記第１のダクトとを連通させたことを特徴とする請求項１に記載の冷蔵庫。
【請求項３】
前記貯蔵室と前記ヒータとが垂直投影面上で交差しないことを特徴とする請求項１に記載の冷蔵庫。
【請求項４】
前記貯蔵室を前記第２の扉側に設けたことを特徴とする請求項１に記載の冷蔵庫。
【請求項５】
前記貯蔵室をマイナス温度帯の低温室としたことを特徴とする請求項１に記載の冷蔵庫。
【請求項６】
前記貯蔵室をマイナス温度帯の低温室とプラス温度帯のチルド室とが切換可能な切換室としたことを特徴とする請求項１に記載の冷蔵庫。
【発明の詳細な説明】
【技術分野】
【０００１】
本発明は、冷蔵室の開口部に第１及び第２の扉を有し、両開きできる冷蔵庫に関し、特に、冷蔵室の内部に低温の貯蔵室を備えた冷蔵庫に関する。
【背景技術】
【０００２】
従来、冷蔵室内の底部にチルド室を備えた冷蔵庫が知られている（例えば、特許文献１）。この種の冷蔵庫では、冷蔵室の天面に冷蔵室用ダクトが、冷蔵室の背面にチルド室用ダクトがそれぞれ設けられ、また、冷蔵室背面には冷却器およびファンが設けられている。そして、冷却器で冷却された空気（冷気）が、ファンにより冷蔵室用ダクト、チルド室用ダクトを介して冷蔵室、チルド室に送られることで、冷蔵室、チルド室ごとに所定の温度に冷却制御される。
【０００３】
また、冷蔵室の開口部に第１及び第２の扉を有し、２つの扉を左右に両開きできる、いわゆる観音開き式の冷蔵庫がある。第１及び第２の扉の内周縁にはガスケットが設けられており、第１及び第２の扉を閉じた状態でガスケットと当接する仕切板が、第１の扉の開放端側に設けられている。また、仕切体には、仕切板の表面に生じる結露を防止するための結露防止用ヒータが設けられている（例えば、特許文献２）。
【先行技術文献】
【特許文献】
【０００４】
【特許文献１】特開２００４−２７８９５９号公報
【特許文献２】特開２０００−５５５３４号公報
【発明の概要】
【発明が解決しようとする課題】
【０００５】
近年、魚介類や肉類を本来のおいしさや鮮度を保ちながら、比較的長い間保存したいという要望から、冷蔵室の内部に、チルド室より低温の温度帯の貯蔵室を設けることが要望されている。しかしながら、上記従来の構成のチルド室を低温の貯蔵室とすると、結露防止用ヒータの熱の影響で、貯蔵室内の一部の温度が上昇してしまい、貯蔵室内の温度分布が均一でなくなるといった課題が生じていた。このため、貯蔵室内に保存された食品の一部が融解するなど、保鮮性が悪化する恐れがあった。
【０００６】
冷蔵室の温度は通常３℃±２℃であり、チルド室の温度は通常０℃±１℃であるのに対し、低温の貯蔵室の温度は、例えば−３℃±１．５℃である。このため、冷蔵室内に低温の貯蔵室を設けると、従来のチルド室を設けた場合より、結露防止用ヒータとの温度差が大きくなる。また、マイナス温度帯の貯蔵室の一部がプラス温度帯となることは、従来のプラス温度帯のチルド室の一部が温度上昇する場合に比べて、食品の保鮮性への影響が大きい。
【０００７】
本発明は、前記従来の課題を解決するもので、冷蔵室の開口部に第１及び第２の扉を有し、冷蔵室の内部に低温の貯蔵室を設けても、貯蔵室内の温度分布を均一にできる冷蔵庫を提供することを目的とする。
【課題を解決するための手段】
【０００８】
上記従来の課題を解決するために、本発明の冷蔵庫は、第１の扉の開放側に設けられ第１および第２の扉を閉じた状態で第１の扉と第２の扉との隙間を塞ぐ仕切体と、仕切体に設けられたヒータと、冷蔵室の内部に設けられ冷蔵室より低温の貯蔵室と、冷蔵室の背面
に設けられ貯蔵室に流入する冷気が流れる第１のダクトとを備え、ヒータと第１のダクトとを垂直投影面上で交差させないものである。
【０００９】
これによって、第１のダクトを流れる冷気へのヒータの熱影響を低減でき、低温室内の温度分布が不均一となることがない。
【発明の効果】
【００１０】
本発明の冷蔵庫は、冷蔵室の開口部に第１及び第２の扉を有し、冷蔵室の内部に低温の貯蔵室を設けても、低温の貯蔵室内の温度分布を均一にできる。
【図面の簡単な説明】
【００１１】
【図１】本発明の実施の形態１における冷蔵庫の正面図
【図２】本発明の実施の形態１における第１の扉、第２の扉の要部水平方向断面図
【図３】本発明の実施の形態１における冷蔵庫の側面断面図
【図４】本発明の実施の形態１における背面パネルの分解斜視図
【図５】本発明の実施の形態１における背面パネルの背面図
【図６】本発明の実施の形態１における冷蔵室の内部正面図
【図７】本発明の実施の形態１における冷蔵庫の水平方向断面図
【図８】本発明の実施の形態２における貯蔵室の内部正面図
【図９】本発明の実施の形態２における貯蔵室の側面断面図
【発明を実施するための形態】
【００１２】
第１の発明は、冷蔵室と、前記冷蔵室の開口部を開閉する第１および第２の扉と、前記第１の扉の開放端側に設けられ前記第１および第２の扉を閉じた状態で前記第１の扉と前記第２の扉との隙間を塞ぐ仕切体と、前記仕切体に設けられたヒータと、前記冷蔵室の内部に設けられ前記冷蔵室より低温の貯蔵室と、前記冷蔵室の背面に設けられ前記貯蔵室に流入する冷気が流れる第１のダクトとを備え、前記ヒータと前記第１のダクトとが垂直投影面上で交差しないために、前記第１のダクトを流れる冷気へのヒータの熱影響を低減でき、低温の貯蔵室内の温度分布が不均一となることがない。
【００１３】
第２の発明は、第１の発明にさらに、貯蔵室の天面に設けられた複数の吹出口を有する第２のダクトを備え、前記第２のダクトと前記第１のダクトが連通されることにより、第１のダクトを流れた冷気が第２のダクトの複数の吹出口から貯蔵室内に流入するので、低温の貯蔵室内の温度分布が不均一となることがない。
【００１４】
第３の発明は、第１の発明にさらに、前記貯蔵室と前記ヒータとが垂直投影面上で交差しないために、低温の貯蔵室へのヒータの熱影響を低減でき、低温の貯蔵室内の温度分布が不均一となることがない。
【００１５】
第４の発明は、第１の発明の貯蔵室を、前記第２の扉側に設けることにより、貯蔵室をよりヒータから離して設けることができるために、ヒータ近傍で温度が上昇することがなく、低温の貯蔵室内の温度分布が不均一となることがない。
【００１６】
第５の発明は、第１の発明の貯蔵室は、マイナス温度帯の低温室であるために、マイナス温度帯の低温室の一部がヒータの熱影響でプラス温度帯となることがなく、低温室内に保存された食品の一部が融解するなど、保鮮性が悪化することがない。
【００１７】
第６の発明は、第１の発明の貯蔵室は、マイナス温度帯の低温室とプラス温度帯のチルド室とが切換可能な切換室であるために、保存する食品に適した温度帯を選択することができる。
【００１８】
以下、本発明の冷蔵庫の実施の形態について、図面を参照しながら説明する。なお、この実施の形態によって本発明が限定されるものではない。
【００１９】
（実施の形態１）
図１は、本発明の実施の形態１における冷蔵庫の正面図である。図１において、冷蔵庫２１は、観音開き式の扉を備える冷蔵庫であり、断熱箱体１１内に複数に区画された室を備えている。
【００２０】
具体的には、上部より冷蔵室２２、製氷室２３、製氷室２３に併設され急速冷凍可能な急速冷凍室２４、冷凍室２５、および野菜室２６を備えている。
【００２１】
各室の開口部には、例えばウレタンのような発泡断熱材を発泡充填した断熱扉が設けられている。具体的には、冷蔵室２２には断熱箱体の開口部を開閉可能に塞ぐ第１の扉３１ａおよび第２の扉３１ｂが設けられている。
【００２２】
また、製氷室２３、急速冷凍室２４、冷凍室２５、および野菜室２６は引き出し式の室であり、それぞれ引き出し式の扉３２、扉３３、扉３４、および扉３５が設けられている。
【００２３】
第２の扉３１ｂには、第２の扉３１ｂの反ヒンジ側、すなわち、開放端側の外面の端辺に沿って扉化粧板３６が取り付けられている。扉化粧板３６には裏側から操作表示手段３７が取り付けられており、その取り付け位置は、一般的な使用者や作業者の目の高さ程度の高さ位置である。
【００２４】
図２は、第１の扉３１ａ、第２の扉３１ｂの要部水平方向断面図である。図２に示すように、第１の扉３１ａ、第２の扉３１ｂはそれぞれヒンジ５１ａ、ヒンジ５１ｂにより、冷蔵庫２１に軸支持されている。第１の扉３１ａの内周縁にはガスケット５２ａが、第２の扉３１ｂの内周縁にはガスケット５２ｂがそれぞれ設けられている。また、第１の扉３１ａの反ヒンジ側、すなわち、開放端側の内面には、上下方向に伸びる柱状の仕切体５３が支持アーム５４を介して回動可能に支持されている。
【００２５】
仕切体５３は、第１の扉３１ａ、第２の扉３１ｂのいずれかを開いた状態では、第１の扉３１ａの開放端から突出しない位置（図２中に破線で図示）に回動し、冷蔵室２２の開口を広くする。一方、第１の扉３１ａおよび第２の扉３１ｂを開いた状態では、ガスケット５２ａ、５２ｂと当接する位置（図２中に実線で図示）に回動し、第１の扉３１ａと第２の扉３１ｂの間のシールを確実に行う。
【００２６】
また、仕切体５３の内部には、仕切体５３の表面に生じる結露を防止するために結露防止用ヒータ５５が設けられている。
【００２７】
図３は、冷蔵庫２１の側面断面図である。図３に示すように、断熱箱体１１の天面部は冷蔵庫２１の背面方向に向かって階段状に凹みを設けた形状であり、この階段状の凹部に機械室を形成して圧縮機１２、水分除去を行うドライヤ（図示せず）等の冷凍サイクルの構成部品が収容されている。すなわち、圧縮機１２を配設する機械室は、冷蔵室２２内の最上部の後方領域に食い込んで形成されることになる。手が届きにくくデッドスペースとなっていた冷蔵室２２の最上部の後方領域に機械室を設けて圧縮機１２を配置することにより、冷凍室２５や野菜室２６の容量を拡大し、収納性や使い勝手を大きく改善することができる。
【００２８】
冷蔵室２２の内部には、冷蔵室２２の側面に設けられた凸部（図示せず）に支持される複数の棚６１が設けられている。また、断熱壁６２で断熱区画された貯蔵室６３が、冷蔵室２２の底部に設けられている。貯蔵室６３の前面には、前面に第１の扉３１ａ、第２の扉３１ｂとは別に専用の前面扉６４を備えている。前面扉６４と断熱壁６２により、貯蔵室６３は、冷蔵庫２１内の温度より低温の状態を、効率よく維持することができる。
【００２９】
冷蔵庫２１の背面には、冷気を生成する冷却室７１、各室への冷気の搬送風路７２、冷蔵室２２と搬送風路７２を断熱区画するための背面パネル７３が設けられている。すなわち、搬送風路７２は、断熱箱体１１の内箱１１ａと背面パネル７３との間に形成されている。冷却室７１は、冷凍室２５と野菜室２６の背面に設けられており、内部に、冷却器７４を備えている。
【００３０】
冷却器７４の上部空間には冷却器７４で冷却した冷気を強制対流させる冷却ファン７５が配置され、冷却器７４の下部空間には冷却時に冷却器７４やその周辺に付着する霜や氷を除霜するためのガラス管製のラジアントヒータ７６が設けられ、さらにその下部には除霜時に生じる除霜水を受けるためのドレンパン７７、その最深部から庫外に貫通したドレンチューブ７８が構成され、その下流側の庫外に蒸発皿７９が構成されている。
【００３１】
搬送風路７２を形成する背面パネル７３について、図４、図５を用いてさらに詳しく説明する。図４は、背面パネル７３の構成を説明するための分解斜視図であり、図５は、背面パネル７３の背面図（冷蔵庫２１の背面側から見た図）である。
【００３２】
図４に示すように、背面パネル７３は、冷蔵室２２側に配置された樹脂製のカバーであるプレート８１と、冷蔵庫２１の背面側に配置され搬送風路７２を形成する断熱部材８２とから形成されている。
【００３３】
図５において、断熱部材８２の背面には、冷蔵庫２１背面側に凸に形成された搬送風路右壁９１、搬送風路左壁９２を備えている。そして、搬送風路右壁９１、搬送風路左壁９２、断熱部材８２本体、断熱部材８２本体と対向する内箱１１ａの一面とで搬送風路７２を形成している。さらに、搬送風路右壁９１と搬送風路左壁９２との間には、冷蔵庫２１背面側に凸に形成された低温用風路上壁９３と低温用風路側壁９４とを備えている。そして、搬送風路右壁９１の一部、低温用風路上壁９３、低温用風路側壁９４、断熱部材８２本体、断熱部材８２本体と対向する内箱１１ａの一面とで搬送風路７２の内部に本発明における第１のダクトである低温用風路９５を形成している。
【００３４】
断熱部材８２の正面には、搬送風路７２と連通する正面冷蔵用吹出孔８３が、側面には搬送風路７２と連通する側面冷蔵用吹出孔８４がそれぞれ複数、設けられている。また、断熱部材８２の正面下部には、低温用風路９５と連通する正面低温用吹出孔８５が設けられている。さらに、図４に示すように、プレート８１には、複数の正面冷蔵用吹出孔８３、側面冷蔵用吹出孔８４のそれぞれ対応する箇所に、正面冷蔵用吹出口８６、側面冷蔵用吹出口８７が設けられている。また、正面低温用吹出孔８５に対応する箇所に、正面低温用吹出口８８が設けられている。
【００３５】
複数の正面冷蔵用吹出口８６、側面冷蔵用吹出口８７は、ぞれぞれ冷蔵室２２内に開口し、冷却室７１内で生成された冷気は冷蔵室２２内に送られる。また、正面低温用吹出口８８は、貯蔵室６３内に開口し、冷却室７１内で生成された冷気は貯蔵室６３内に送られる。
【００３６】
冷蔵室２２は冷蔵保存のために凍らない温度を下限に通常１℃〜５℃とし、野菜室２６は冷蔵室２２と同等もしくは若干高い温度設定の２℃〜７℃としている。冷凍室２５はマ
イナス温度帯に設定されており、冷凍保存のために通常−２２℃〜−１５℃で設定されているが、冷凍保存状態の向上のために、例えば−３０℃や−２５℃の低温で設定されることもある。貯蔵室６３は、いわゆるパーシャル室として、冷蔵室２２より低い温度設定の−４．５℃〜−１．５℃としている。製氷室２３は、冷蔵室２２内の貯水タンク（図示せず）から送られた水で室内上部に設けられた自動製氷機（図示せず）で氷を作り、室内下部に配置した貯氷容器（図示せず）に貯蔵する。
【００３７】
搬送風路７２の下部には、搬送風路７２を通過する冷気の量を調整する冷蔵用ダンパ（図示せず）が、低温用風路９５の下部には、低温用風路９５を通過する冷気の量を調整する低温用ダンパ（図示せず）がそれぞれ設けられている。
【００３８】
図６は、冷蔵室２２の内部正面図であり、図７は、冷蔵庫２１の水平方向断面図である。図６に示すように、低温用風路９５を形成する側壁のうち結露防止用ヒータ５５に近い方の低温用風路側壁９４は、仕切体５３に設けられた結露防止用ヒータ５５の中心線ＡＡと、垂直投影面上で交差しないように設けられている。すなわち、図７に示すように、結露防止用ヒータ５５と低温用風路側壁９４との距離Ｌ２は、結露防止用ヒータ５５と貯蔵室６３の背面との距離Ｌ１より、長くなるように設けられている。
【００３９】
結露防止用ヒータ５５の後方の垂直投影面には冷蔵室２２へ冷気を搬送する搬送風路７２が配置している。また図７の断面図のように、搬送風路７２の左右幅寸法は低温用風路９５の左右幅寸法よりも大きく形成され、風路断面積が大きくなっている。
【００４０】
以上のように構成された冷蔵庫について、以下その動作、作用を説明する。
【００４１】
まず、冷凍サイクルの動作について説明する。庫内の設定された温度に応じて制御基板（図示せず）からの信号により冷凍サイクルが動作して冷却運転が行われる。圧縮機１２の動作により吐出された高温高圧の冷媒は、凝縮器（図示せず）である程度凝縮液化し、さらに冷蔵庫２１本体の側面や背面、また冷蔵庫２１本体の前面間口部に配設された冷媒配管（図示せず）などを経由し冷蔵庫２１本体の結露を防止しながら凝縮液化し、キャピラリーチューブ（図示せず）に至る。その後、キャピラリーチューブでは圧縮機１２への吸入管（図示せず）と熱交換しながら減圧されて低温低圧の液冷媒となって冷却器７４に至る。ここで、低温低圧の液冷媒は、冷却ファン７５の動作により空気と熱交換され、冷却器７４内の冷媒は蒸発気化する。
【００４２】
そして、冷却室７１内で各室を冷却するための冷気が生成され、生成された冷気は各室に送られる。例えば、冷蔵用ダンパ（図示せず）を介して、搬送風路７２を通って冷蔵室に送られる。また、低温用ダンパ（図示せず）を介して、貯蔵室に送られる。これにより、各室ごとに所定の温度に冷却制御される。
【００４３】
本実施の形態では、低温用風路９５が、結露防止用ヒータ５５の中心線ＡＡと、垂直投影面上で交差することがない、すなわち、結露防止用ヒータ５５と低温用風路側壁９４との距離Ｌ１は、結露防止用ヒータ５５と貯蔵室６３の背面との距離Ｌ２より長くなる。このため、結露防止用ヒータ５５の中心線ＡＡと垂直投影面上で交差するように、低温用風路９５が設けられた場合に比べて、低温用風路９５を流れる冷気への結露防止用ヒータ５５の熱影響を低減できる。そして、低温用風路９５内は、均一な温度分布の冷気が流れることとなり、低温の貯蔵室６３内の温度分布が不均一となることがない。
【００４４】
特に、貯蔵室６３が、マイナス温度帯の低温室である場合には、貯蔵室６３の一部が結露防止用ヒータ５５の熱影響でプラス温度帯となることがないので、貯蔵室６３内に保存された食品の一部が融解するなど、保鮮性が悪化する恐れが低減できる。このような貯蔵
室６３内の温度分布が均一となる効果は、貯蔵室６３内の設定温度が低いほど大きくなる。なお、貯蔵室６３は、マイナス温度帯の低温室とプラス温度帯のチルド室とが切換可能な切換室であってもよい。この場合には、低温の貯蔵室６３内の温度分布が均一となるという効果が得られるともに、保存する食品に適した温度帯を選択することができ、使用者の使い勝手が向上する。
【００４５】
また結露防止用ヒータ５５は低温用風路９５よりも搬送風路７２との距離が近いため、結露防止用ヒータ５５の熱は、比較すると低温用風路９５よりも搬送風路７２への熱影響が大きくなるが、搬送風路７２の風路断面積は大きく、搬送される冷気は低温の貯蔵室６３よりも内容積の大きい冷蔵室２２内へ吐出されるため、冷蔵室２２内の温度分布に大きな影響を及ぼすことはない。
【００４６】
また、本実施の形態では、冷蔵室２２用の冷気が流れる搬送風路７２の内部に、貯蔵室６３用の冷気が流れる低温用風路９５が形成されているので、搬送風路７２と低温用風路９５とを個別に形成する場合に比べて、風路の壁の厚さを低減しても、低温用風路９５を流れる冷気は均一な温度分布となり、貯蔵室６３内の温度分布が不均一となることがない。
【００４７】
（実施の形態２）
図８は、本発明の第２の実施の形態の冷蔵庫における冷蔵室２２の内部正面図であり、図９は、貯蔵室６３の側面断面図である。本実施の形態においては、第１の実施の形態と異なる点のみを説明し、同様の構成、動作、作用については、説明を省略する。
【００４８】
図８に示すように、貯蔵室６３は、冷蔵室２２の底部であって、第２の扉３１ｂ側に、結露防止用ヒータ５５の中心線ＡＡと、垂直投影面上で交差しないように設けられている。そして、貯蔵室６３の左側断熱壁６２ａが、結露防止用ヒータ５５の中心線ＡＡと対向するように設けられている。
【００４９】
貯蔵室６３の左側（第１の扉３１ａ側）の右側下部には、頻繁に取り出す小物などを収納するための小物入れ１０１が設けられている。さらに、小物入れ１０１の上部には卵を収納するための卵収納容器１０２が、小物入れ１０１の左側には製氷室２３に給するための貯水タンク１０３が、それぞれ設けられている。
【００５０】
また、図９に示すように、貯蔵室６３の天面の背面側には、天面ダクトユニット９６が設けられている。天面ダクトユニット９６には、内部に本発明の第２のダクトである天面風路９７と複数の天面吹出口９８とを備えている。天面風路９７は、正面低温用吹出口８８、正面低温用吹出孔８５を介して、低温用風路９５と連通しており、天面吹出口９８は、貯蔵室６３内に開口している。
【００５１】
天面風路９７の正面低温用吹出口８８との接続側には、天面風路傾斜部９７ａが設けられている。これにより、正面低温用吹出口８８から天面ダクトユニット９６に流入した冷気は、天面側に上昇するように流れた後、貯蔵室６３の前後方向に流れ、複数の天面吹出口９８から貯蔵室６３に流入する。
【００５２】
貯蔵室６３の底部側は、貯蔵室下部ケース６５により形成されている。貯蔵室下部ケース６５の背面側には、ケース傾斜部６５ａが設けられている。このため、貯蔵室６３内を循環した冷気が、貯蔵室下部ケース６５の底面から正面低温用吹出口８８下部に向けて上昇した後、下方に流れる。
【００５３】
本実施の形態では、貯蔵室６３が、結露防止用ヒータ５５の中心線ＡＡと、垂直投影面
上で交差することがないために、貯蔵室６３と結露防止用ヒータ５５との距離が長くすることができ、貯蔵室６３への結露防止用ヒータ５５の熱影響を低減し、低温の貯蔵室６３内の温度分布が不均一となることがない。特に、貯蔵室６３の左側断熱壁６２ａが、結露防止用ヒータ５５の中心線ＡＡと対向するように設けられているため、結露防止用ヒータ５５の貯蔵室６３への熱影響を大きく低減できる。
【００５４】
さらに、貯蔵室６３を、仕切体５３が設けられていない第２の扉３１ｂ側に設けることにより、より結露防止用ヒータ５５から離して貯蔵室６３を設けることができ、より貯蔵室６３内の温度分布が不均一となることがない。さらに、貯蔵室６３の前面扉６４は、第１の扉３１ａを開けることなく、第２の扉３１ｂを開けるのみで、開閉できるようになるので、使用者の使い勝手が向上する。
【００５５】
また、開口面積の小さい第１の扉３１ａ側に、小物入れ１０１、卵収納容器１０２、貯水タンク１０３が設けられている。そして、第２の扉３１ｂを開けることなく、第１の扉３１ａを開けるのみで、頻繁に取り出す可能性が高い小物入れ１０１、卵収納容器１０２、貯水タンク１０３を取り出すことができるので、頻繁に第２の扉３１ｂを開けることによって、貯蔵室６３内の温度分布が不均一となることも防止できる。
【００５６】
また、貯蔵室６３の天面には、貯蔵室６３の奥行き方向に複数の天面吹出口９８を設けられていることにより、搬送風路７２から低温用風路９５に流入した冷気が、貯蔵室６３の天面前方や天面中央から流入するので、貯蔵室６３内の温度分布が不均一となることがない。また、貯蔵室６３内を循環した冷気が、貯蔵室下部ケース６５の底面から正面低温用吹出口８８下部に向けて上昇した後、下方に流れることで、貯蔵室６３内に多量の食品が収納された場合にも、温度分布が不均一となることがないため、貯蔵室６３内の収納性の向上と温度分布の均一化が両立できる。
【産業上の利用可能性】
【００５７】
以上のように、本発明にかかる冷蔵庫は、冷蔵室の開口部に第１及び第２の扉を有し、冷蔵室の内部に低温の貯蔵室を設けても、貯蔵室内の温度分布を均一にできることとなり、家庭用および業務用など様々な種類および大きさの冷蔵庫等に適用できる。
【符号の説明】
【００５８】
１１  断熱箱体
１１ａ  内箱
１２  圧縮機
２１  冷蔵庫
２２  冷蔵室
２３  製氷室
２４  急速冷凍室
２５  冷凍室
２６  野菜室
３１ａ  第１の扉
３１ｂ  第２の扉
３２、３３、３４、３５  扉
３６  扉化粧板
３７  操作表示手段
５１ａ、５１ｂ  ヒンジ
５２ａ、５２ｂ  ガスケット
５３  仕切体
５４  支持アーム
５５  結露防止用ヒータ
６１  棚
６２  断熱壁
６２ａ  左側断熱壁
６３  貯蔵室
６４  前面扉
６５  貯蔵室下部ケース
６５ａ  ケース傾斜部
７１  冷却室
７２  搬送風路
７３  背面パネル
７４  冷却器
７５  冷却ファン
７６  ラジアントヒータ
７７  ドレンパン
７８  ドレンチューブ
７９  蒸発皿
８１  プレート
８２  断熱部材
８３  正面冷蔵用吹出孔
８４  側面冷蔵用吹出孔
８５  正面低温用吹出孔
８６  正面冷蔵用吹出口
８７  側面冷蔵用吹出口
８８  正面低温用吹出口
９１  搬送風路右壁
９２  搬送風路左壁
９３  低温用風路上壁
９４  低温用風路側壁
９５  低温用風路
９６  天面ダクトユニット
９７  天面風路
９７ａ  天面風路傾斜部
９８  天面吹出口
１０１  小物入れ
１０２  卵収納容器
１０３  貯水タンク
【図１】
2012220116.tif 000003
【図２】
2012220116.tif 000004
【図３】
2012220116.tif 000005
【図４】
2012220116.tif 000006
【図５】
2012220116.tif 000007
【図６】
2012220116.tif 000008
【図７】
2012220116.tif 000009
【図８】
2012220116.tif 000010
【図９】
2012220116.tif 000011